【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
遊技領域に設けられた第１の始動領域と、前記遊技領域に設けられた第２の始動領域と、前記第１の始動領域に遊技媒体が入賞したことに基づいて変動表示の第１の開始条件が成立したときに第１識別情報の変動表示を開始し、表示結果を導出表示する第１変動表示手段と、前記第２の始動領域に遊技媒体が入賞したことに基づいて変動表示の第２の開始条件が成立したときに第２識別情報の変動表示を開始し、表示結果を導出表示する第２変動表示手段とを備え、前記第１変動表示手段と前記第２変動表示手段のいずれかに特定表示結果が導出表示されたときに遊技者にとって有利な特定遊技状態に移行させる遊技機であって、
前記遊技領域に設けられ、遊技球が入賞可能な第１の状態と該第１の状態に比べて遊技球が入賞しにくいまたは入賞しない第２の状態とに変化可能であり、前記特定遊技状態に制御されたときに当該第１の状態に制御される特別可変入賞装置と、
遊技の進行を制御し、前記第１変動表示手段および前記第２変動表示手段の変動表示を制御し、当該変動表示の状態を特定可能なコマンドを送信する遊技制御手段と、
該遊技制御手段が送信したコマンドにもとづいて遊技機に設けられている演出用部品の制御を行なう演出制御手段とを備え、
前記遊技制御手段は、
前記第１変動表示手段および前記第２変動表示手段のそれぞれで実行される変動表示について、前記特定遊技状態に制御するか否かと、前記特定遊技状態終了後に前記特定遊技状態と異なる通常状態に制御するか、前記特定遊技状態終了後に前記変動表示の表示結果が前記特定表示結果となる確率が前記通常状態よりも向上した高確率状態に制御するかとを前記変動表示の表示結果を導出表示する前に決定する事前決定手段と、
前記特定遊技状態として、前記特別可変入賞装置を所定期間前記第１の状態に変化させることを所定回数行なうことにより終了し、前記特定遊技状態終了後、前記通常状態または前記高確率状態に制御される第１遊技状態に制御する第１遊技状態制御手段と、
前記特定遊技状態として、前記特別可変入賞装置を前記所定期間よりも短い期間および前記所定回数よりも少ない回数の少なくともいずれかで前記第１の状態に変化させることにより終了し、前記特定遊技状態終了後、前記高確率状態に制御される第２遊技状態に制御する第２遊技状態制御手段と、
所定の上限値までの前記第１の開始条件が成立していない前記第１の始動領域への遊技媒体の入賞数を特定可能な第１保留記憶データを記憶する第１保留記憶手段と、
所定の上限値までの前記第２の開始条件が成立していない前記第２の始動領域への遊技媒体の入賞数を特定可能な第２保留記憶データを記憶する第２保留記憶手段と、
前記第１保留記憶データによって特定される入賞数または前記第２保留記憶データによって特定される入賞数が増加したことに基づいて、いずれの入賞数が増加したのかを示す入賞数識別コマンドを送信してから、前記第１保留記憶データによって特定される入賞数と前記第２保留記憶データによって特定される入賞数との合計に対応する合計数を特定可能な合計数特定コマンドを送信する合計数特定コマンド送信手段とを含み、
遊技機は、前記第１保留記憶データによって特定される入賞数と前記第２保留記憶データによって特定される入賞数とを特定可能な表示を行なう入賞数表示手段を備え、
前記演出制御手段は、
前記合計数特定コマンド送信手段が送信した合計数特定コマンドに基づいて、前記入賞数表示手段に、前記第１保留記憶データによって特定される入賞数を特定可能な第１の態様で表示を行なわせ、前記第２保留記憶データによって特定される入賞数を特定可能な第２の態様で表示を行なわせる入賞数表示制御手段と、
前記合計数特定コマンド送信手段から前記入賞数識別コマンドを受信せずに前記合計数特定コマンドを受信したときに、前記入賞数表示手段に、前記第１の態様および前記第２の態様とは異なる特別態様で入賞数を特定可能な表示を行なわせる入賞数表示態様制御手段とを含み、
前記事前決定手段は、前記第１変動表示手段と前記第２変動表示手段とでそれぞれ実行される変動表示についての決定において、前記高確率状態に制御することを決定する確率を同一とし、かつ、前記高確率状態に制御するときに決定される前記第１遊技状態と前記第２遊技状態との割合を異ならせた決定確率に基づいて、前記変動表示の表示結果を導出表示する前に、前記特定遊技状態として、前記第１遊技状態と前記第２遊技状態とを含む複数の遊技状態のうちいずれの遊技状態に制御するかをさらに決定することを特徴とする、遊技機。
【請求項２】
前記第２の始動領域に遊技球が入賞しない閉状態と前記第２の始動領域に遊技球が入賞可能な開状態とに変化可能であり、前記遊技領域に設けられた第３の始動領域を遊技球が通過したことに基づいて当該開状態となる可変始動入賞装置をさらに備え、
前記可変始動入賞装置は、前記高確率状態であるときに、前記通常状態と比べて前記第２の始動領域に遊技球が入賞しやすい状態に制御され、
前記事前決定手段は、前記高確率状態であるときに、前記第２変動表示手段で実行される変動表示について前記特定遊技状態として前記第２遊技状態に制御することを決定する確率が前記通常状態での当該確率と比べて低いことを特徴とする、請求項１に記載の遊技機。
【請求項３】
前記第２の始動領域に遊技球が入賞しない閉状態と前記第２の始動領域に遊技球が入賞可能な開状態とに変化可能であり、前記遊技領域に設けられた第３の始動領域を遊技球が通過したことに基づいて当該開状態となる可変始動入賞装置をさらに備え、
前記可変始動入賞装置は、前記高確率状態であるときに、前記通常状態と比べて前記第２の始動領域に遊技球が入賞しやすい状態に制御され、
前記事前決定手段は、前記高確率状態であるときに、前記第２変動表示手段で実行される変動表示について前記特定遊技状態として前記第２遊技状態に制御することを決定する確率が前記通常状態での当該確率と比べて高いことを特徴とする、請求項１に記載の遊技機。
【請求項４】
前記第２の始動領域に入賞した遊技球を検出して検出信号を出力する検出手段をさらに備え、
前記遊技制御手段は、
前記可変始動入賞装置の開閉状態を判定する開閉判定手段と、
該開閉判定手段によって前記可変始動入賞装置が閉状態であると判定されているときに、前記検出手段によって遊技球の入賞が検出されたことに基づいて、当該入賞による第２変動表示手段における第２識別情報の変動表示の開始を禁止する変動表示禁止手段とをさらに含むことを特徴とする、請求項２または３に記載の遊技機。
【請求項５】
前記第２の始動領域に入賞した遊技球を検出して検出信号を出力する検出手段と、
前記第２の始動領域に遊技球が入賞したことに応じて遊技球を払出す制御を実行する払出制御手段とをさらに備え、
前記遊技制御手段は、
前記可変始動入賞装置の開閉状態を判定する開閉判定手段と、
該開閉判定手段によって前記可変始動入賞装置が閉状態であると判定されているときに、前記検出手段によって遊技球の入賞が検出されたことに基づいて、当該入賞による遊技球を払出す制御の実行を禁止する払出制御禁止手段とをさらに含むことを特徴とする、請求項２から４のいずれかに記載の遊技機。
【請求項６】
前記第２の始動領域に入賞した遊技球を検出して検出信号を出力する検出手段をさらに備え、
前記遊技制御手段は、
前記可変始動入賞装置の開閉状態を判定する開閉判定手段と、
該開閉判定手段によって前記可変始動入賞装置が閉状態であると判定されたときに、前記検出手段によって遊技球の入賞が検出されたことに基づいて、前記第２の始動領域に入賞した遊技球の入賞累積数を記憶する入賞累積数記憶手段と、
前記入賞累積数記憶手段が記憶する前記入賞累積数と、異常入賞数であるか否かを判定するための所定の異常入賞数基準値との関係に基づいて、異常入賞状態であるか否かを判定する異常入賞判定手段と、
前記開閉判定手段によって前記可変始動入賞装置が閉状態であると判定されているときに、前記検出手段によって遊技球の入賞が検出されたことに基づいて、異常報知の実行を指示するための異常報知コマンドを送信する異常報知コマンド送信手段とをさらに含み、
前記演出制御手段は、
前記異常報知コマンド送信手段が送信した異常報知コマンドに基づいて、前記演出用部品により異常報知を実行する異常報知手段をさらに含み、
前記異常報知コマンド送信手段は、前記異常入賞判定手段によって前記異常入賞状態であると判定されたときに、前記異常報知コマンドを送信することを特徴とする、請求項２から５のいずれかに記載の遊技機。
【請求項７】
前記遊技制御手段は、
前記第１遊技状態により前記特別可変入賞装置を所定期間前記第１の状態に変化させる所定回数として予め定められた第１の複数種類の回数と前記第１変動表示手段での複数種類の第１の特定表示結果との関係を示す第１のデータを記憶する第１データ記憶手段と、
前記第１遊技状態により前記特別可変入賞装置を所定期間前記第１の状態に変化させる所定回数として予め定められた第２の複数種類の回数と前記第２変動表示手段での複数種類の第２の特定表示結果との関係を示す第２のデータを記憶する第２データ記憶手段とをさらに含み、
前記事前決定手段は、さらに、前記第１変動表示手段での表示結果に基づく前記特定遊技状態について、前記第１データ記憶手段に記憶された第１のデータに基づいて、前記特別可変入賞装置を所定期間前記第１の状態に変化させる回数と、導出表示する前記第１の特定表示結果とを選択決定し、前記第２変動表示手段での表示結果に基づく前記特定遊技状態について、前記第２データ記憶手段に記憶された第２のデータに基づいて、前記特別可変入賞装置を所定期間前記第１の状態に変化させる回数と、導出表示する前記第２の特定表示結果とを選択決定し、
前記第１遊技状態制御手段は、前記特定遊技状態として、前記事前決定手段により選択決定された回数に応じて、前記特別可変入賞装置を所定期間前記第１の状態に変化させる制御を行なうことを特徴とする、請求項１から６のいずれかに記載の遊技機。
【請求項８】
前記第１変動表示手段は、前記第１の始動領域に遊技球が入賞したことに応じて第１の実行条件が成立した後、第１の開始条件が成立したときに変動表示が開始され、
前記第２変動表示手段は、前記第２の始動領域に遊技球が入賞したことに応じて第２の実行条件が成立した後、第２の開始条件が成立したときに変動表示が開始され、
前記遊技制御手段は、
前記第１保留記憶手段に記憶されている第１保留記憶データに基づき、前記第１の始動領域への遊技媒体の入賞数を計数する第１計数手段と、
前記第２保留記憶手段に記憶されている第２保留記憶データに基づき、前記第２の始動領域への遊技媒体の入賞数を計数する第２計数手段と、
前記第１変動表示手段および前記第２変動表示手段のそれぞれで実行される変動表示について、変動表示時間を含む変動パターンを複数の変動パターンから選択する変動パターン選択手段とを含み、
該変動パターン選択手段は、前記第１計数手段によって計数された前記第１の始動領域への遊技媒体の入賞数と、前記第２計数手段によって計数された前記第２の始動領域への遊技媒体の入賞数との合計数が所定数以上のときに、当該合計数が所定数未満であるときに比べて変動表示時間が短い変動パターンを選択することを特徴とする、請求項１から７のいずれかに記載の遊技機。
【請求項９】
前記遊技制御手段は、
前記特定遊技状態として、前記特別可変入賞装置を前記第２遊技状態と略同一期間かつ前記第２遊技状態と略同一の回数で前記第１の状態に変化させることにより終了し、前記特定遊技状態終了後の遊技状態として前記特定遊技状態開始直前の遊技状態が継続される第３遊技状態に制御する第３遊技状態制御手段をさらに含み、
前記事前決定手段は、前記第１変動表示手段と前記第２変動表示手段とでそれぞれ実行される変動表示についての決定において、前記高確率状態に制御することを決定する確率を同一とし、かつ、前記高確率状態に制御するときに決定される前記第１遊技状態と前記第２遊技状態と前記第３遊技状態との割合を異ならせた決定確率に基づいて、前記変動表示の表示結果を導出表示する前に、前記特定遊技状態として、前記第１遊技状態と前記第２遊技状態と第３遊技状態とを含む複数の遊技状態のうちいずれの遊技状態に制御するかをさらに決定することを特徴とする、請求項１から８のいずれかに記載の遊技機。
【手続補正２】
【補正対象書類名】明細書
【補正対象項目名】００１６
【補正方法】変更
【補正の内容】
【００１６】
（４）  前記第２の始動領域に入賞した遊技球を検出して検出信号を出力する検出手段（第２始動口スイッチ１４ａ）をさらに備え、
前記遊技制御手段は、
前記可変始動入賞装置の開閉状態を判定する開閉判定手段（図５１のＳ５６０または図８２のＳ２８４）と、
該開閉判定手段によって前記可変始動入賞装置が閉状態であると判定されているときに、前記検出手段によって遊技球の入賞が検出されたことに基づいて、当該入賞による第２変動表示手段における第２識別情報の変動表示の開始を禁止する変動表示禁止手段（第２実施形態では図８０のＳ１３１５，Ｓ１３１６、第４実施形態では図８３のＳ３３９，Ｓ３４０、第５実施形態では図８４のＳ１３１７）とをさらに含む。
このような構成によれば、可変始動入賞装置が閉状態であると判定されているときに、遊技球の入賞が検出されたことに基づいて、当該入賞による第２変動表示手段における第２識別情報の変動表示の開始が禁止されるので、不正行為によって可変始動入賞装置に遊技球が入賞した可能性がある場合に、特定遊技状態に移行されるのを確実に防止することができる。
（５） 前記第２の始動領域に入賞した遊技球を検出して検出信号を出力する検出手段（第２始動口スイッチ１４ａ）と、
前記第２の始動領域に遊技球が入賞したことに応じて遊技球を払出す制御を実行する払出制御手段（図４９のＳ３６２Ａ〜Ｓ３６５、図５０のＳ３７１〜Ｓ３８２）とをさらに備え、
前記遊技制御手段は、
前記可変始動入賞装置の開閉状態を判定する開閉判定手段（図５１のＳ５６０または図８２のＳ２８４）と、
該開閉判定手段によって前記可変始動入賞装置が閉状態であると判定されているときに、前記検出手段によって遊技球の入賞が検出されたことに基づいて、当該入賞による遊技球を払出す制御の実行を禁止する払出制御禁止手段（図４９のＳ３６３Ａ，Ｓ３６３Ｂ）とをさらに含む。
このような構成によれば、可変始動入賞装置が閉状態であると判定されているときに、遊技球の入賞が検出されたことに基づいて、当該入賞による遊技球を払出す制御の実行が禁止されるので、不正行為によって可変始動入賞装置に遊技球が入賞した可能性がある場合に、入賞に基づく賞球払出をしないようにして遊技場に不利益が与えられることを防止できる。
（６） 前記第２の始動領域に入賞した遊技球を検出して検出信号を出力する検出手段（第２始動口スイッチ１４ａ）をさらに備え、
前記遊技制御手段は、
前記可変始動入賞装置の開閉状態を判定する開閉判定手段（図５１のＳ５６０または図８２のＳ２８４）と、
該開閉判定手段によって前記可変始動入賞装置が閉状態であると判定されたときに、前記検出手段によって遊技球の入賞が検出されたことに基づいて、前記第２の始動領域に入賞した遊技球の入賞累積数を記憶する入賞累積数記憶手段（ＲＡＭ５５における始動口異常カウンタの記憶領域）と、
前記入賞累積数記憶手段が記憶する前記入賞累積数と、異常入賞数であるか否かを判定するための所定の異常入賞数基準値（たとえば、５個）との関係に基づいて、異常入賞状態であるか否かを判定する異常入賞判定手段（図５１のＳ５６４Ｂ）と、
前記開閉判定手段によって前記可変始動入賞装置が閉状態であると判定されているときに（図５１のＳ５６０のＮまたは図８２のＳ２８４のＹ）、前記検出手段によって遊技球の入賞が検出されたこと（図５１のＳ５６３のＮまたは図８２のＳ２８８のＹ）に基づいて、異常報知の実行を指示するための異常報知コマンド（たとえば、異常入賞報知コマンドまたは異常入賞報知指定コマンド）を送信する異常報知コマンド送信手段（図５１のＳ５６４Ｃまたは図８２のＳ２８９）とをさらに含み、
前記演出制御手段は、
前記異常報知コマンド送信手段が送信した異常報知コマンドに基づいて、前記演出用部品により異常報知を実行する異常報知手段（図６６のＳ８４５Ａ，Ｓ８４５Ｃ、図５２のＳ７１０、図７８のＳ９９６〜Ｓ９９９、９０８〜Ｓ９０９）をさらに含み、
前記異常報知コマンド送信手段は、前記異常入賞判定手段によって前記異常入賞状態であると判定されたときに（図５１のＳ５６４ＢでＹ）、前記異常報知コマンドを送信する（図５１のＳ５６４Ｃ）。
このような構成によれば、可変始動入賞装置が閉状態であると判定されたときに第２の始動領域への遊技球の入賞が検出されたことに基づいて、第２の始動領域に入賞した遊技球の入賞累積数が記憶され、記憶された入賞累積数と、所定の異常入賞数基準値との関係に基づいて、異常入賞状態であるか否かが判定されるので、ノイズ等により一時的に生じた軽微な異常により異常入賞状態であると判定されるのを防ぐことができ、異常入賞状態を確実に判定することができる。
（７）  前記遊技制御手段は、
前記第１遊技状態により前記特別可変入賞装置を所定期間前記第１の状態に変化させる所定回数として予め定められた第１の複数種類の回数（ラウンド数）と前記第１変動表示手段での複数種類の第１の特定表示結果（第１特別図柄の大当り図柄）との関係を示す第１のデータ（図１０の第１大当り図柄テーブル）を記憶する第１データ記憶手段（ＲＯＭ５４における第１大当り図柄テーブルの記憶領域）と、
前記第１遊技状態により前記特別可変入賞装置を所定期間前記第１の状態に変化させる所定回数として予め定められた第２の複数種類の回数（ラウンド数）と前記第２変動表示手段での複数種類の第２の特定表示結果との関係を示す第２のデータ（図１０の第２大当り図柄テーブル）を記憶する第２データ記憶手段（ＲＯＭ５４における第２大当り図柄テーブルの記憶領域）とをさらに含み、
前記事前決定手段は、さらに、前記第１変動表示手段での表示結果に基づく前記特定遊技状態について、前記第１データ記憶手段に記憶された第１のデータに基づいて、前記特別可変入賞装置を所定期間前記第１の状態に変化させる回数と、導出表示する前記第１の特定表示結果とを選択決定し（第１特別図柄プロセス処理における図２６のＳ８３）、前記第２変動表示手段での表示結果に基づく前記特定遊技状態について、前記第２データ記憶手段に記憶された第２のデータに基づいて、前記特別可変入賞装置を所定期間前記第１の状態に変化させる回数と、導出表示する前記第２の特定表示結果とを選択決定し（第２特別図柄プロセス処理で、第１特別図柄プロセス処理における図２６のＳ８３の処理に相当する処理を実行する部分）、
前記第１遊技状態制御手段は、前記特定遊技状態として、前記事前決定手段により選択決定された回数に応じて、前記特別可変入賞装置を所定期間前記第１の状態に変化させる制御を行なう（第１特別図柄プロセス処理における図２０のＳ３０７、第２特別図柄プロセス処理で、第１特別図柄プロセス処理におけるこの処理に相当する処理を実行する部分）。
【手続補正３】
【補正対象書類名】明細書
【補正対象項目名】００１８
【補正方法】変更
【補正の内容】
【００１８】
（８）  前記第１変動表示手段は、前記第１の始動領域に遊技球が入賞したことに応じて第１の実行条件（有効な第１始動入賞があったこと）が成立した後、第１の開始条件（第１保留記憶に応じた変動表示を実行する条件）が成立したときに変動表示が開始され（第１特別図柄プロセス処理における図２０のＳ３２３でＮ）、
前記第２変動表示手段は、前記第２の始動領域に遊技球が入賞したことに応じて第２の実行条件（有効な第２始動入賞があったこと）が成立した後、第２の開始条件（第２保留記憶に応じた変動表示を実行する条件）が成立したときに変動表示が開始され（第２特別図柄プロセス処理で、第１特別図柄プロセス処理における図２０のＳ３２３でＮに相当する処理を実行する部分）、
前記遊技制御手段は、
前記第１保留記憶手段に記憶されている第１保留記憶データに基づき、前記第１の始動領域への遊技媒体の入賞数を計数する第１計数手段（第１保留記憶数カウンタの値により入賞数を計数するＣＰＵ５６）と、
前記第２保留記憶手段に記憶されている第２保留記憶データに基づき、前記第２の始動領域への遊技媒体の入賞数を計数する第２計数手段（第２保留記憶数カウンタの値により入賞数を計数するＣＰＵ５６）と、
前記第１変動表示手段および前記第２変動表示手段のそれぞれで実行される変動表示について、変動表示時間を含む変動パターンを複数の変動パターンから選択する変動パターン選択手段（図２７の第１変動パターン設定処理、図２８の第２変動パターン設定処理）とを含み、
該変動パターン選択手段は、前記第１計数手段によって計数された前記第１の始動領域への遊技媒体の入賞数と、前記第２計数手段によって計数された前記第２の始動領域への遊技媒体の入賞数との合計数が所定数以上のときに（図２７のＳ４５２でＹ、図２８のＳ４５２でＹ）、当該合計数が所定数未満であるときに比べて変動表示時間が短い変動パターン（短縮変動パターン）を選択する（第１特別図柄プロセス処理における図２７のＳ４６０〜Ｓ４６６、第２特別図柄プロセス処理における図２８のＳ４６０〜Ｓ４６６）。
【手続補正４】
【補正対象書類名】明細書
【補正対象項目名】００２０
【補正方法】変更
【補正の内容】
【００２０】
（９）  前記遊技制御手段は、
前記特定遊技状態として、前記特別可変入賞装置を前記第２遊技状態と略同一期間かつ前記第２遊技状態と略同一の回数で前記第１の状態に変化させることにより終了し、前記特定遊技状態終了後の遊技状態として前記特定遊技状態開始直前の遊技状態が継続される第３遊技状態（小当り遊技状態）に制御する第３遊技状態制御手段（第１特別図柄プロセス処理における図２０のＳ３０９〜Ｓ３１１、図２６のＳ６２，Ｓ８９、図３２のＳ１３８、第２特別図柄プロセス処理で、第１特別図柄プロセス処理におけるこれらの処理に相当する処理を実行する部分）をさらに含み、
前記事前決定手段は、前記第１変動表示手段と前記第２変動表示手段とでそれぞれ実行される変動表示についての決定において、前記高確率状態に制御することを決定する確率を同一とし（図８で、第１通常時大当り判定テーブルと第２通常時大当り判定テーブルとで確変大当りおよび突然確変大当りの合計割合が同一、第１確変時大当り判定テーブルと第２確変時大当り判定テーブルとで確変大当りおよび突然確変大当りの合計割合が同一）、かつ、前記高確率状態に制御するときに決定される前記第１遊技状態と前記第２遊技状態と前記第３遊技状態との割合を異ならせた決定確率（図８で、第１通常時大当り判定テーブルと第２通常時大当り判定テーブルとで確変大当りと突然確変大当りと小当りとの割合が異なる、第１確変時大当り判定テーブルと第２確変時大当り判定テーブルとで確変大当りと突然確変大当りと小当りとの割合が異なる）に基づいて、前記変動表示の表示結果を導出表示する前に、前記特定遊技状態として、前記第１遊技状態と前記第２遊技状態と第３遊技状態とを含む複数の遊技状態のうちいずれの遊技状態に制御するかをさらに決定する（第１特別図柄プロセス処理における図２６のＳ８３、第２特別図柄プロセス処理で、第１特別図柄プロセス処理におけるこれらの処理に相当する処理を実行する部分）。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】